(57)【要約】  【課題】  本発明は、非常に軽量で取付け時や解体時等における取扱いが至便であり、建わくと最外側の足場板との間に生起する隙間の大小に関係なく常に確実に安定性よく取付け、常に物品の落下を有効に防止せしめることが出来る安価な仮設足場用幅木を提供するにある。【解決手段】  仮設足場を構成する横架材６０間に起立状に取付け自在とされた仮設足場用幅木１であって、該幅木１は所要の幅と長さを備えた幅木本体２と、横架材６０間に架設された足場板６１のつかみ金具６２を挾持しつつ横架材６０に掛止せしめるべく該幅木本体２の両端部に各々垂設された両側一対の掛止金具３と、横架材６０に係止してロックせしめるべく該各両側掛止金具３の少なくとも一方の外側面に各々ピン１０を介して回動自在に取付けられたロック片８とより構成されている。  【選択図】      図１
2006169902.tif 000002
【特許請求の範囲】
【請求項１】
仮設足場を構成する横架材間に起立状に取付け自在とされた仮設足場用幅木であって、該幅木は所要の幅と長さを備えた幅木本体と、横架材間に架設された足場板のつかみ金具を挾持しつつ横架材に掛止せしめるべく該幅木本体の両端部に各々垂設された両側一対の掛止金具と、横架材に係止してロックせしめるべく該各両側掛止金具の少なくとも一方の外側面に各々ピンを介して回動自在に取付けられたロック片とより構成されてなることを特徴とする、仮設足場用幅木。
【請求項２】
掛止金具は足場板のつかみ金具を挾持せしめるべく略下向きコ字形状に形成されてなることを特徴とする、請求項１記載の仮設足場用幅木。
【請求項３】
ロック片は上下に各々溝孔状のピン孔が形成されると共に、該ピン孔を通して掛止金具の外側にピンでもって枢着されてなり、上記ピンを介して回動せしめつつ横架材に係止してロックせしめるべく構成されてなることを特徴とする、請求項１及び２記載の仮設足場用幅木。
【発明の詳細な説明】
【技術分野】
【０００１】
本発明は、建築現場等に仮設足場を構築せしめるさいに使用する仮設足場用幅木に関し
、さらに詳細には、仮設足場を構成する所要の横架材間に迅速、かつ確実に取付けることが出来るのみならず、ボルト・ナットなどの施工用部品や工具類などの落下を有効に防止せしめることが出来る、仮設足場用幅木に関する。
【背景技術】
【０００２】
一般に、建築現場等に所要の仮設足場を構築せしめる場合には、建わく、あるいは建材と横架材とからなる枠体など所要の枠状体を所定間隔でもって自立状に連結せしめると共に、根がらみを取付け、隣あう枠状体間に足場板を架設せしめつつ順次上方に連結し、所要個所に段階や手摺など所要の足場部材を取付けることにより構築するものとされている
。
【０００３】
ところで、上述のごとく構成された仮設足場は、隣あう枠状体と最外側の架設足場板との間に隙間が必然的に生起し、かかる隙間からボルト・ナットなどの施工用部品や工具類
、あるいは各種資材・用具などを誤って落下させるおそれがあり、安全性の面において問題があるものである。
【０００４】
かかる従来例の問題点を解決するものとして、例えば、実用新案登録第３０８４６７２号公報には仮設足場用幅木が開示されており、これを図９及び図１０に基づいて説明する
。
【０００５】
即ち、同図中、５１は仮設足場を構成する後記の横架材６０間に架設状に取付け自在とされた所要の幅と長さを有する金属製仮設足場用幅木、５２は該幅木５１を構成する幅木本体で、該幅木本体５２は垂直面部５３と水平面部５４とにより横断面Ｌ字形状に形成されている。５５は幅木本体５２の水平面部５４両端に各々突設された両側一対のつかみ金具、５６は該各つかみ金具５５の一側面に各々上下一対のピン５７を介して回動自在に取付けられた湾曲状のロック片である。その他、５８は仮設足場を構成する建わく、５９
・６０は該建わく５８を構成する脚柱と横架材、６１は該横架材６０間に架設状に取付け自在とされたつかみ金具６２付き足場板である。
【０００６】
そして、上述のごとく構成された従来例は、図１０に図示するように、建わく５８と最外側に位置する架設足場板６１との間の隙間を閉塞せしめつつ起立状に取付ける。
【０００７】
即ち、幅木本体５２を構成する水平面部５４の外側縁を最外側に位置する架設足場板６１の外側縁に沿わせつつ、水平面部５４でもって建わく５８と最外側の架設足場板６１との間の隙間を閉塞せしめたのち、両端のつかみ金具５５でもって横架材６０に掴持せしめると共に、ロック片５６を回動せしめて横架材６０に係止状にロックせしめるものである。
【特許文献１】実用新案登録第３０８４６７２号公報
【発明の開示】
【発明が解決しようとする課題】
【０００８】
ところで、上記実用新案登録第３０８４６７２号公報記載の仮設足場用幅木５１は、その水平面部５４の幅が一定寸法に設定せしめられているのに対し、仮設足場を構成する建わく５８や足場板６１は規格毎にその幅が異なるものであって、構築時においては建わく５８と最外側の足場板６１との間に生じる隙間の大きさが自ずと相違するものである。このため、水平面部５４の幅が隙間に合致する場合においては、幅木５１を起立状に取付けて隙間を有効に閉塞せしめることが出来る反面、水平面部５４の幅が隙間より大の場合においては幅木５１の取付け自体が不能となり、逆に小さい場合においては隙間を有効に閉塞せしめることが出来ないものである。また、幅木５１は垂直面部５３と水平面部５４とにより構成されているから、その製作が非常に面倒でコスト高となるのみならず、全体として重量が大となり、取付け時や解体時などにおける取扱いが非常に不便である。さらに
、幅木５１は足場板６１に連係せしめることなく単につかみ金具５５とロック片５６とでもって横架材６０に別個独立に取付けるものとされているから、足場板６１との一体感がなく、場合によっては横架材６０の長手方向に沿って移動したり、あるいは、ガタ付くなどのおそれがあるものである。
【０００９】
本発明は従来の問題点を解決しようとするもので、非常に軽量で取付け時や解体時などにおける取扱いが極めて至便であり、しかも、建わくと最外側の足場板との間に生起する隙間の大小に関係なく常に確実に安定性よく取付けることが出来るものであって、常に物品の落下を有効に防止せしめることが出来る安価な仮設足場用幅木を提供するにある。
【課題を解決するための手段】
【００１０】
上記の目的を達成するため、本発明の請求項１記載の発明は、仮設足場を構成する横架材間に起立状に取付け自在とされた仮設足場用幅木であって、該幅木は所要の幅と長さを備えた幅木本体と、横架材間に架設された足場板のつかみ金具を挾持しつつ横架材に掛止せしめるべく該幅木本体の両端部に各々垂設された両側一対の掛止金具と、横架材に係止してロックせしめるべく該各両側掛止金具の少なくとも一方の外側面に各々ピンを介して回動自在に取付けられたロック片とより構成されてなることを特徴とする、仮設足場用幅木を要旨とするものである。
【００１１】
上記請求項１記載の仮設足場用幅木において、掛止金具は足場板のつかみ金具を挾持せしめるべく略下向きコ字形状に形成され、また、ロック片は上下に各々溝孔状のピン孔が形成されると共に、該ピン孔を通して掛止金具の外側にピンでもって枢着されてなり、上記ピンを介して回動せしめつつ横架材に係止してロックせしめるべく構成されている。
【発明の効果】
【００１２】
本発明は、幅木本体の両端両側に各々掛止金具が垂設されると共に、該各両側掛止金具の少なくとも一方の外側面にロック片が取付けられた非常にコンパクトな構成よりなるものであって、従来例に比して非常に軽量であり、取付け時や解体時などにおける取扱いが非常に至便であるのみならず、その製作を容易に、しかも安価に行なうことが出来るものである。また、掛止金具は予め横架材に架設された足場板のつかみ金具を挾持しつつ横架材に掛止せしめると共に、ロック片でもってロックせしめるものであるから、幅木を足場板と密接に連係して横架材に一体的に取付けることが出来るものであって、ひいては、横架材の長手方向への移動やガタ付くなどのおそれがなく、常に安定的に起立保持せしめることが出来るのみならず、枠状体と最外側の足場板との間に生起する隙間の大小に関係なく確実に取付けることが出来るものである。
【発明を実施するための最良の形態】
【００１３】
以下に、本発明を実施するための最良の形態を図面に示す一実施例に基づいて詳細に説明する。
【００１４】
図１乃至図４は本発明の一実施例を示すもので、同図中、１は仮設足場を構成する横架材６０間に架設状に取付け自在とされた金属製仮設足場用幅木、２は該幅木１を構成する所要の幅と長さを備えた横断面略コ字形板状の幅木本体、３は該幅木本体２の両端部両側に各々対向状に垂設された両側一対の掛止金具で、該各掛止金具３は横断面略逆Ｌ字形状に形成されると共に、その先部には湾曲状の掛止部４が形成され、各上端部に起立状に一体形成された取付け片５を介してボルト６・ナット７により幅木本体２に取付けられている。そして、上記両側の掛止金具３は、予め横架材６０間に対向状に架設された足場板６１の相隣るつかみ金具６２どうしを一体的に挾持せしめるべく所定の間隔に設定せしめられている。８は上記各掛止金具３の外側面に各々回動自在に取付けられた略湾曲状のロック片で、該各ロック片８は上下に各々溝孔状のピン孔９が形成されると共に、該各ピン孔９を通して掛止金具３外面に突設された上下一対のピン１０にガイドせしめつつ内方に回動し、横架材６０に係止してロックせしめるものとされている。その他、１１は建わく５８を連結して所定間隔毎に自立せしめる交さ筋かいであり、その他は従来例と同一であり、同一符号は同一部分を示す。
【００１５】
そして、上述のごとく構成された幅木１は、図５乃至８に図示するように、仮設足場を構成する建わく５８の横架材６０間に架設せしめた最外側の足場板６１外側面に沿って起立状に取付ける。
【００１６】
即ち、先ず、隣あう建わく５８の横架材６０間につかみ金具６２を介して足場板６１を敷設状に架設せしめたのち、幅木１を最外側に位置する足場板６１の外側縁に沿わせつつ
、外側の相隣るつかみ金具６２どうしを両側一対の掛止金具３でもって挾持せしめると共に、その掛止部４を各々横架材６０に掛止せしめる。しかるのち、各ロック片８を上下一対のピン１０にガイドせしめつつ内方に回動せしめ、横架材６０に係止してロックせしめ
、幅木１を最外側の足場板６１外側縁に沿って起立状に取付けるものである。このさい、実施例に係る幅木１は、幅木本体２の両端両側に各々掛止金具３が垂設されると共に、該各掛止金具３の外側にロック片８が取付けられた非常にコンパクトな構成よりなるものであるから、非常に軽量であり、取付け時における取扱いが極めて至便である。また、両端の掛止金具３は相隣る最外側のつかみ金具６２どうしを挾持せしめつつ横架材６０に掛止せしめると共に、ロック片８でもって横架材６０に係止状にロックせしめるものであるから、常に幅木１を足場板６１と密接に連係して一体的に取付けることが出来るものであって、その取付けは確実であり、ひいては、横架材６０の長手方向に対する移動やガタ付きを有効に防止せしめ、常に確実に起立保持せしめることが出来る。さらに、幅木１は最外側の足場板６１外側縁に沿って起立状に取付けるものであるから、隣あう建わく５８と最外側の足場板６１との間の間隙を閉塞せしめることなく、ボルト・ナットなどの施工部品や工具類などの落下を有効に防止せしめることが出来るのみならず、建わく５８や足場板６１の幅の相違によって生起する隙間の大小に関係なく取付けることが出来るものである
。
【００１７】
逆に、仮設足場の解体時において、幅木１を取外すさいには、先ず、ロック片８を逆方向に回動作動せしめつつ、横架材６０との係止を解いてそのロックを解除せしめたのち、幅木１を上方に持ち上げ、横架材６０との掛止、及びつかみ金具６２の挾持を各々解除せしめて取外すとよい。
【００１８】
なお、上記実施例において、幅木本体２の両端に各々両側一対の掛止金具３が取付けられているが、これに限定されるものでなく、両側の掛止金具３を略下向きコ字形状に一体形成せしめてもよいものである。また、両端の両側掛止金具３外側面には各々ロック片８が設けられているが、該両側掛止金具３の少なくとも一方にのみロック片８を設けてもよいものである。さらに、幅木１は仮設足場を構成する建わく５８に取付けるものとされているが、これに限定されるものでなく、他の仮設足場を構成する横架材に取付けて使用に供することが出来るものである。
【図面の簡単な説明】
【００１９】
【図１】本発明の幅木１を示す斜視図である。
【図２】本発明の幅木１を示す拡大左側面図である。
【図３】本発明の幅木１を示す一部拡大正面図である。
【図４】本発明の幅木１を示す一部拡大背面図である。
【図５】本発明の幅木１の使用状態を示す斜視図である。
【図６】図５のＡ部拡大正面図である。
【図７】図５のＡ部拡大側面図である。
【図８】図５のＡ部一部破砕拡大平面図である。
【図９】従来の幅木５１を示す斜視図である。
【図１０】従来の幅木５１の使用状態を示す側面図である。
【符号の説明】
【００２０】
１    幅木
２    幅木本体
３    掛止金具
４    掛止部
８    ロック片
１０  ピン
５８  建わく
６０  横架材
６１  足場板
６２  つかみ金具
【図１】
2006169902.tif 000003
【図２】
2006169902.tif 000004
【図３】
2006169902.tif 000005
【図４】
2006169902.tif 000006
【図５】
2006169902.tif 000007
【図６】
2006169902.tif 000008
【図７】
2006169902.tif 000009
【図８】
2006169902.tif 000010
【図９】
2006169902.tif 000011
【図１０】
2006169902.tif 000012